(57)【要約】      （修正有）【課題】干し物がベランダの壁面などに直接触れて汚れるのを防止するとともに、手摺付ベランダ壁及び手摺無ベランダ壁、その両タイプに取付けることが可能な干し具を提供する。【解決手段】手摺無ベランダに設置する場合、支持バー１２上にさらに水平バー１３をベランダの壁２５と平行に位置するように設置する。手摺付ベランダに干し具１０を設置する場合、干し物２４は既設手摺２６、ベランダの内側の水平バー１３、及びベランダの外側の水平バー１３に支持されベランダの壁２５と一定の距離を保つ。手摺無ベランダに干し具１０を設置する場合、干し物２４は、支持バー１２上の水平バー１３、ベランダの内側の水平バー１３、及びベランダの外側の水平バー１３に支持されベランダの壁２５と一定の距離を保つ。そのため、干し物２４はベランダの壁２５に直接触れて汚れることがなく、また通気性に富むため効率的に乾燥することができる。【選択図】図１
0003163538.tif 000002
【実用新案登録請求の範囲】
【請求項１】
手摺のあるベランダの壁などに設けられる干し具であって前記壁の天端上に設けられた前記壁厚寸法よりも長い前記壁と略直角方向に位置する複数の支持バー、各支持バーの両端には前記壁と平行に位置する水平バーが前記壁の内側、及び外側にあり、干し物を既設手摺、及び前記水平バーで支持する構造を特徴とする干し具。
【請求項２】
手摺のないベランダの壁などに設けられる干し具であって前記壁の天端上に設けられた前記壁厚寸法よりも長い前記壁と略直角方向に位置する複数の支持バー、各支持バーの略垂直方向上に前記壁と平行に位置する水平バー、各支持バーの両端には前記壁と平行に位置する水平バーが前記壁の内側、及び外側にあり、干し物を前記水平バーで支持する構造を特徴とする干し具。
【考案の詳細な説明】
【技術分野】
【０００１】本考案は、布団などの干し具に関するものであり、特にベランダの壁面などを利用して干す場合に好適な干し具に関するものである。
【背景技術】
【０００２】団地などの集合住宅、一戸建て上階などでは布団などを干すにはベランダの壁、手摺などに掛けて干すことが一般的に行われている。以下、図３（Ａ）、及び（Ｂ）により従来の干し方について説明する。図３（Ａ）は手摺付ベランダに布団などの干し物２４を干す時の断面図である。図３（Ｂ）は手摺無ベランダに布団などの干し物２４を干す時の断面図である。両図とも干し物２４はベランダの壁２１、ベランダの壁２２、及びベランダの壁天端２３などに直接触れており、それらの汚れが付着したり、干し物内側の乾きが悪かったりすることがある。
【考案の概要】
【考案が解決しようとする課題】
【０００３】この考案は以上の点を解決しようとしたものである。ベランダの壁、手摺などを利用して布団などを干す時、干し物がベランダの壁面などに直接触れて汚れるのを防止するとともに、効率的に乾燥することができる干し具であり、手摺付ベランダ壁、及び手摺無ベランダ壁、その両タイプに取付けることが可能な干し具を提供する。
【課題を解決するための手段】
【０００４】前記目的を達成するため、本考案は、手摺のあるベランダの壁などに設けられる干し具であって前記壁の天端上に設けられた前記壁厚寸法よりも長い前記壁と略直角方向に位置する複数の支持バー、各支持バーの両端には前記壁と平行に位置する水平バーが前記壁の内側、及び外側にあり、干し物を既設手摺、及び前記水平バーで支持する構造を特徴とする干し具である。また、手摺のないベランダの壁などに設けられる干し具であって前記壁の天端上に設けられた前記壁厚寸法よりも長い前記壁と略直角方向に位置する複数の支持バー、各支持バーの略垂直方向上に前記壁と平行に位置する水平バー、各支持バーの両端には前記壁と平行に位置する水平バーが前記壁の内側、及び外側にあり、干し物を前記水平バーで支持する構造を特徴とする干し具である。本考案の前記目的、特徴、利点は、以下の詳細な説明及び添付図面から明瞭になろう。
【図面の簡単な説明】
【０００５】
【図１】（Ａ）本考案の一実施形態を全体に示す斜視図である。        （Ｂ）本考案の一実施形態を側面から示す斜視図である。
【図２】（Ａ）本考案の一実施形態を全体に示す斜視図である。        （Ｂ）本考案の一実施形態を側面から示す斜視図である。
【図３】（Ａ）従来の一般的な一実施形態を示す断面図である。        （Ｂ）従来の一般的な一実施形態を示す断面図である。
【考案を実施するための形態】
【０００６】〈実施形態１〉・・・以下、本考案の実施形態１について詳細に説明する。図１は手摺付ベランダの壁に干し具を設置した状態を示す。図１（Ａ）は干し具と手摺付ベランダの壁の全体を示す斜視図である。図１（Ｂ）は干し具と手摺付ベランダの壁、及び干し物を側面から示す斜視図である。
【０００７】図１（Ａ）に示すように、複数の固定ブラケット１１はそれぞれ対になっておりベランダの内壁２１、及びベランダの外壁２２を挟み込むことにより干し具１０を固定する。固定ブラケット１１の上部にベランダの壁２５と直角方向に位置する支持バー１２があり、支持バー１２の長さ寸法はベランダの壁２５の壁厚寸法よりも大きい。支持バー１２の両端にはベランダの壁２５と平行に位置する水平バー１３がベランダ内側とベランダ外側に対で設置されている。図１（Ｂ）に示すように、干し物２４は既設手摺２６、ベランダの内側の水平バー１３、及びベランダの外側の水平バー１３に支持され、ベランダの壁２５と一定の距離を保つ。そのため、干し物２４はベランダの壁２５に直接触れて汚れることがなく、また干し物２４とベランダの壁２５には一定の間隔があり通気性に富むため効率的に乾燥することができる。
【０００８】〈実施形態２〉・・・以下、本考案の実施形態２について詳細に説明する。図２は手摺無ベランダの壁に干し具を設置した状態を示す。図２（Ａ）は干し具と手摺付ベランダの壁の全体を示す斜視図である。図２（Ｂ）は干し具と手摺付ベランダの壁、及び干し物を側面から示す斜視図である。
【０００９】図２（Ａ）に示すように、複数の固定ブラケット１１はそれぞれ対になっておりベランダの内壁２１、及びベランダの外壁２２を挟み込むことにより干し具１０を固定する。固定ブラケット１１の上部にベランダの壁２５と直角方向に位置する支持バー１２があり、支持バー１２の長さ寸法はベランダの壁２５の壁厚寸法よりも大きい。支持バー１２の両端にはベランダの壁２５と平行に位置する水平バー１３がベランダ内側とベランダ外側に対で設置されている。支持バー１２上にさらに水平バー１３をベランダの壁２５と平行に設置する。図２（Ｂ）に示すように、干し物２４は支持バー１２上の水平バー１３、ベランダの内側の水平バー１３、及びベランダの外側の水平バー１３に支持され、ベランダの壁２５と一定の距離を保つ。そのため、干し物２４はベランダの壁２５に直接触れて汚れることがなく、また干し物２４とベランダの壁２５には一定の間隔があり通気性に富むため効率的に乾燥することができる。
【考案の効果】
【０００１０】以上説明したように、本考案によれば、ベランダなどの壁に、その内外壁面よりも張り出すように水平バーを設け、また手摺のないベランダ壁ではその天端上にも水平バーを設けることとしたので、水平バー、及びベランダの手摺に支持された干し物は壁面と直接触れることがなく、壁面の汚れが干し物に付着するのを防止するとともに、干し物と壁面間の通気性が向上して効率的に乾燥することができる。
【符号の説明】
【０００１１】１０  干し具１１  固定ブラケット１２  支持バー１３  水平バー２０  ベランダの床２１  ベランダの内壁２２  ベランダの外壁２３  ベランダの壁天端２４  干し物２５  ベランダの壁
【図１】
0003163538.tif 000003
【図２】
0003163538.tif 000004
【図３】
0003163538.tif 000005